(57)【要約】【課題】所定の長さに切断した横桟と縦桟だけでケースを完成させることができて、しかも、各桟はボルト結合で一体化されるため、がたつきや軋みを生じない安定したガラスケースを提供すること。【解決手段】所定の長さに切断された間口桟１と奥行桟２と縦桟３を、奥行桟へ横に通したしボルト４で間口桟へ接合し、縦に通したボルト５で縦桟へ接合することで形成したガラスケースＡであって、間口桟と縦桟は、断面の中央部付近に長手方向のねじ下孔６と２０をそれぞれ形成され、奥行桟は、間口桟に形成されるねじ下孔６に対応する位置と、縦桟に形成されるねじ下孔２０に対応する位置に、それぞれボルトの通し孔１６と１７を設けられ、また、間口桟と奥行桟の外側の陵部には、Ｌ形の断面をなす化粧カバー７が収まる凹部８と１３と、この凹部の両側端に形成されて、上記化粧カバーが両側縁に有する突縁を係合させる受溝１０と１４を形成されていること。【選択図】図１
2010178962.tif 000002
【特許請求の範囲】
【請求項１】
所定の長さに切断された間口桟と奥行桟と縦桟を、奥行桟へ横に通したしボルトで間口桟に、縦に通したボルトで縦桟へ接合することで形成したガラスケースであって、
上記間口桟と縦桟には、断面の中央部付近に長手方向のねじ下孔がそれぞれ形成され、
上記奥行桟には、上記間口桟に形成されるねじ下孔に対応する位置と、縦桟に形成されるねじ下孔に対応する位置に、それぞれボルトの通し孔が設けられ、
また、上記間口桟と奥行桟の外側の陵部には、L形の断面をなす化粧カバーが収まる凹部と、この凹部の両側端に形成されて、上記化粧カバーの両側縁に設けられた突縁を係合させる受溝が形成されている
ことを特徴とするガラスケース。
【請求項２】
上記間口桟の両側へ上記奥行桟をボルトで接合するため、奥行桟の小口が前方及び後方へ開口すると、この小口を奥行桟へボルトで止着した化粧小口蓋で塞がせるようにした
ことを特徴とする請求項１に記載のガラスケース。
【請求項３】
上記間口桟へ奥行桟をボルトで接合するとき、奥行桟の小口を前後の桟材の表面よりも引っ込ませて、この引っ込み部に間口桟と表面が揃う化粧小口蓋を取り付けるようにした
ことを特徴とする請求項１及び請求項２に記載のガラスケース。
【請求項４】
所定の長さに切断された間口桟と奥行桟と縦桟を、奥行桟へ横に通したボルトで間口桟に、縦に通したボルトで縦桟へ接合することで形成した複数のガラスケースを、
横方向に並べるか、縦方向に重ねるかした際、各ガラスケースの奥行桟の小口が集まって生ずる小口の集合体に、その外形に適合する化粧小口蓋を、各小口へボルト止めすることで取り付けて、各ガラスケースの接合を行わせた
ことを特徴とするガラスケースの接合構造。
【発明の詳細な説明】
【技術分野】
【０００１】
本発明は、物品の収納保管、特にコレクションの収集保管に好適なガラスケースと該ガラスケースの接合構造に関する。
【背景技術】
【０００２】
従来、横桟及縦桟を必要な長さに切断するだけで端部への加工を行わずに組み立てることが可能なガラスケースとして、四隅に配置される縦桟の端部に横桟を連結して組み立てられるものにおいて、上記縦桟の互いに直角を成す側面には長手方向に沿ってあり溝を形成する一方、上記縦桟の側面に突き当てられる２つの横桟の小口には接合金具を固定し、各横桟の接合金具には、縦桟のあり溝に差し込み可能な張り出し部と上記縦桟の小口に当接する当接片とを形成し、上記縦桟の小口を塞ぐキャップには、上記縦桟のあり溝に挿し挟み可能な脚片を形成し、上記当接片をそれぞれ上記縦桟の小口に当接させるとともに、上記キャップの脚片を上記張り出し部とともに上記縦桟のあり溝に差し込むとともに、キャップを上記縦桟に設けたビスホールにねじ止め固定したものは知られている。
【先行技術文献】
【特許文献】
【０００３】
【特許文献１】特開２００８−９３０３７号
【発明の概要】
【発明が解決しようとする課題】
【０００４】
しかしながら、上記ガラスケースの枠組み構造は、所定長さに切断した横桟の小口に縦桟に形成したあり溝へ係合させる接合金具を固定し、縦桟の小口には縦桟に設けたあり溝へ係合する脚片を有するキャップを取り付けるから、横桟の端部の加工を省くことはできても、別の接合金具やキャップを作成して、これらの部材の取り付けを行う必要があるから、ケースの組み立てコストを低減させる効果に乏しくて、縦桟と横桟の接合はあり溝と張り出し部及び脚片の摩擦係合によって行われるから、接合が不安定でガラスケースがぐらつきや軋みを生じ易い問題点があった。
【０００５】
本発明は、前記問題を解消し、所定の長さに切断した間口桟と奥行桟と縦桟をボルト接合するだけで、がたつきや軋みを生じない安定したガラスケースを提供することと、このガラスケースの複数を簡便に接合した接合ガラスケースが得られることをその技術的課題とする。
【課題を解決するための手段】
【０００６】
前記課題を解決するため、請求項１に係る発明は、所定の長さに切断された間口桟と奥行桟と縦桟を、奥行桟へ横に通したしボルトで間口桟に、縦に通したボルトで縦桟へ接合することで形成したガラスケースであって、上記間口桟と縦桟には、断面の中央部付近に長手方向のねじ下孔がそれぞれ形成され、上記奥行桟には、上記間口桟に形成されるねじ下孔に対応する位置と、縦桟に形成されるねじ下孔に対応する位置に、それぞれボルトの通し孔が設けられ、また、上記間口桟と奥行桟の外側の陵部には、L形の断面をなす化粧カバーが収まる凹部と、この凹部の両側端に形成されて、上記化粧カバーの両側縁に設けられた突縁を係合させる受溝が形成されていることを特徴とする。
【０００７】
請求項２に係る発明は、請求項１において、上記間口桟の両側へ上記奥行桟をボルトで接合するため、奥行桟の小口が前方及び後方へ開口すると、この小口を奥行桟へボルトで止着した化粧小口蓋で塞がせるようにしたことを特徴とする。
【０００８】
請求項３に係る発明は、請求項１及び請求項２において、上記間口桟へ奥行桟をボルトで接合するとき、奥行桟の小口を前後の桟材の表面よりも引っ込ませて、この引っ込み部に間口桟と表面が揃う化粧小口蓋を取り付けるようにしたことを特徴とする。
【０００９】
請求項４に係る発明は、所定の長さに切断された間口桟と奥行桟と縦桟を、奥行桟へ横に通したボルトで間口桟に、縦に通したボルトで縦桟へ接合することで形成した複数のガラスケースを、横方向に並べるか、縦方向に重ねるかした際、各ガラスケースの奥行桟の小口が集まって生ずる小口の集合体に、その外形に適合する化粧小口蓋を、各小口へボルト止めすることで取り付けて、各ガラスケースの接合を行わせたことを特徴とする。
【発明の効果】
【００１０】
請求項１に係る発明によれば、間口桟と奥行桟と縦桟を所定長さに切断して、奥行桟を横方向に通したボルトで間口桟へ接合し、縦方向に通したボルトで縦桟へ接合することで、ガラスケースを形成させるから、形成されたガラスケースは、ボルト結合で各桟が一体化されて、がたつきや軋みを生じない安定したものとなり、しかも、奥行桟は横方向と縦方向にボルト孔をあけても、外側の陵に凹部を設けてこの凹部にＬ形のカバー材を挿し込むことで上記した孔が隠されるから、ケースの意匠性が損なわれることがなく、また、化粧カバーと間口桟及び奥行桟は別体に形成されるので、両者に異る色着けを施せば、２色に色分けされた斬新なデザインの間口桟及び奥行桟を配することで、ガラスケースの意匠性が一層高揚される。
【００１１】
請求項２に係る発明によれば、間口桟の両側へ奥行桟をボルト結合すると、奥行桟の小口が前方及び後方へ開口するが、これらの小口には化粧小口蓋を取り付けて化粧するから、小口に物が引っ掛かるおそれがなく、ガラスケースの意匠性も損なわれることがない。
【００１２】
請求項３に係る発明によれば、間口桟へ奥行桟をボルトで接合するとき、奥行桟の小口を間口桟の表面よりも引っ込ませておけば、小口に化粧小口蓋を取り付けたとき、間口桟の表面と化粧小口蓋がと面一になるため、触ったときに違和感がなくて意匠性も一層高められる。
【００１３】
請求項４に係る発明によれば、所定の長さに切断された間口桟と奥行桟と縦桟を、奥行桟へ横に通したボルトで間口桟に接合し、縦に通したボルトで縦桟へ接合することで形成しガラスケースは、奥行桟の小口が前方及び後方へ開口して、この小口は複数のガラスケースを上下に重ねたり、左右に並べたりすると、複数が集合して縦長矩形、横長矩形、逆Ｌ形、方形等の小口の集合体を生ずるから、この小口の集合体に合致する形状の化粧小口蓋を形成して、この化粧小口蓋を各小口に設けられるねじ下孔へボルト止めすれば、小口の閉塞を兼ねて複数のガラスケースの接合が行われて、多数のコレクション等を纏めて便利に収納することができる接合ガラスケースを提供することができる。
【図面の簡単な説明】
【００１４】
【図１】請求項１に係る発明を実施したガラスケースの斜視図。
【図２】（ａ）（ｂ）は、同上ガラスケースの形成に用いた間口桟と、この間口桟へ取り付ける化粧カバーを示す端面図。
【図３】（ａ）（ｂ）は、同上ガラスケースの形成に用いた奥行桟と、この奥行桟へ取り付ける化粧カバーを示す端面図。
【図４】（ａ）（ｂ）は、同上ガラスケースの形成に用いた縦桟と、この縦桟へ取り付ける棚受の支持部材を示す端面図。
【図５】奥行桟に間口桟に設けられたねじ下孔と、縦桟に設けられたねじ下孔とに対応させて、ボルトを通す孔をあけた態様を示す拡大断面図。
【図６】奥行桟に図５の通りあけた孔にボルトを通して、該ボルトで奥行桟に間口桟と縦桟を接合した態様を示す拡大断面図。
【図７】間口桟と奥行桟を４隅でボルト接合して、ガラスケースの天部及び底部を形成した態様を示す斜視図。
【図８】形成した底部の４隅の上側にそれぞれ縦桟を立て、ボルトで奥行桟と接合して、ガラスケースの胴部を形成し、該胴部に側板と背板と棚板を取り付けた態様を示す斜視図。
【図９】底部へ接合された４本の縦桟の上に天部を載せてボルトで縦桟と接合した態様を示す斜視図。
【図１０】間口桟と奥行桟と縦桟をボルト接合することで形成されたガラスケースの奥行桟に、化粧カバーを取り付けてボルトを通した孔を隠し、前方と後方に開口する奥行桟の小口を化粧小口蓋で塞いでガラスケースを完成させた態様を示す斜視図。
【図１１】（ａ）（ｂ）（ｃ）は、請求項２に係る発明を実施した接合ガラスケースの縦２連形と、この接合ガラスケースに生ずる小口の集合体の形状及び該小口の集合体へ取り付ける化粧小口蓋の形状を示す説明図。
【図１２】同上接合ガラスケースの横２連形と、この接合ガラスケースに生ずる小口の集合体の形状及び該小口の集合体へ取り付ける化粧小口蓋の形状を示す説明図。
【図１３】同上接合ガラスケースの３個が縦、横２連でＬ形をなすものと、この接合ガラスケースに生ずる小口の集合体の形状及び該小口の集合体へ取り付ける化粧小口蓋の形状を示す説明図。
【図１４】同上接合ガラスケースの４個が縦２連と横２連で方形をなすものと、この接合ガラスケースに生ずる小口の集合体の形状及び該小口の集合体へ取り付ける化粧小口蓋の形状を示す説明図。
【図１５】同上接合ガラスケースの６個が縦３連と横３連に、入角を埋める１個が加わって階段形をなすものを示す説明図。
【発明を実施するための形態】
【００１５】
使用材料の長さを決めてボルト接合するだけで、安定性に優れて複数を接合した接合ケースの作成も可能なガラスケースができるようにする。
【００１６】
図１〜図１０は、請求項１に係るガラスケースの実施形態を示すものであって、このガラスケースＡは、所定の長さに切断された間口桟１と、奥行桟２と、縦桟３とを、奥行桟２へ横方向に通したボルト４（図７参照）で間口桟1へ接合し、縦方向に通したボルト５（図８、図９参照）で縦桟３へ接合することで形成したことを特徴とする。
【００１７】
上記間口桟１は、図２（ａ）に示す通りの断面形状で、中央付近に長手方向のねじ下孔６が形成され、同図において右上側の稜部には、図２（ｂ）に示す通りL形に形成された化粧カバー７が収まる凹部８と、この凹部８の両端に形成されて、上記化粧カバー７が両側縁に有する突縁９を係合させる受溝１０が形成され、内側壁の中央部には、後記天板又は底板を支持する支持片１１を突出させるようにアルミニウム合金等の押出成形で形成されている。
【００１８】
上記奥行桟２は、図３（ａ）に示す通りの断面形状で、同図において右上側の稜部の内側に、長手方向のねじ下孔１２が形成され、上記稜部の外側には図３（ｂ）に示す通りL形に形成された化粧カバー７が収まる凹部１３と、この凹部１３の両端に形成されて、上記化粧カバー７が両側縁に有する突縁９を係合させる受溝１４が形成され、図３（ａ）において下側壁の外端側には、後記側板の嵌合溝１５が形成されるようにアルミニウム合金等の押出成形で形成されている。そして、この奥行桟２は、間口桟１と接合するために横方向にボルト４を通し、縦桟３と接合するために縦方向にボルト５を通すので、図５に示す通り間口桟１に対応する内壁イには、図６に示すボルト４が通る孔１６を、外壁ロにはボルト４の頭４ａが通る孔１７が、また、縦桟３に対応する下壁ハには、図６に示すボルト５が通る孔１８が、上壁ニには、ボルト５の頭５ａが通る孔１９がそれぞれ後加工で形成される。
【００１９】
上記縦桟３は、図４（ａ）に示す通りの断面形状で、中央付近に長手方向のねじ下孔２０を形成され、同図において右側壁の上部には、後記裏板の嵌合溝２１が形成され、また、同図において下側には、図４（ｂ）に示す通り面板２２と逆止爪２３を有する一対の係止片２４で形成される棚受支持材２５の容入部２６が形成され、この容入部２６には上記係止片２４の逆止爪２３に対応する受爪２７を有するようにアルミニウム合金等の押出成形で形成されている。そして、この縦桟３は、上記容入部２１へ同図に一部分を鎖線で示すように棚受支持材２５を係合させると、この支持部材２５における面板２２の端部と、図４（ａ）に示す左側壁の下端部とで後記側板の嵌合溝２８が形成される。また、上記棚受支持材２５の面板２２は、図４（ｂ）に示す通り棚受２９を掛ける孔３０を、図面は省略してあるが所定の間隔で形成してある。
【００２０】
上記奥行桟２は、間口桟１を挟むようにその両側へ接合するから、その小口３１が図９
及び図１０に示す通り前方及び後方（不図示）へ開口して、外観を損なうだけでなく、物が引っかかるおそれもあるので、上記小口３１に形状を合わせた化粧小口蓋３２を図１０に示す通り形成し、この化粧小口蓋３２を上記小口３１へ当てて、ねじ下孔１２に対応してあけた孔３３からねじ下孔１２へボルト３４を締め込んで小口３１を閉塞させるものであって、この化粧小口蓋３２と間口桟１の表面とを面合わせする場合は、図７〜図１０に示す通り奥行桟の長さを小口化粧蓋２枚分の厚さ分だけ短くしておくようにする。
【００２１】
なお、図２（ｂ）と図３（ｂ）に示すＬ形のカバー材７及び図４（ｂ）に示す棚受支持材２５も、間口桟１、奥行桟２、縦桟３と同様にアルミニウム合金等の押出成形で形成される。
【００２２】
上記構成のガラスケースＡを形成するには、先ず、ガラスケースＡの寸法に合わせて長さを切断した間口桟１と奥行桟２と縦桟３とを準備して、間口桟１は凹部８に化粧カバー７を取り付けて、奥行桟２と図７に示す通り組み合わせる。そして、奥行桟２に図５に示す通り横方向にあけられた孔１６と孔１７にボルト４を通し、このボルト4を間口桟１に図５に示す通り形成されるねじ下孔６へ締め込めば、奥行桟２と間口桟１がボルト４により結合されてガラスケースＡの天部ｂを形成するから、これと同様にして図７の下側に示す通り底部ｃも形成する。
【００２３】
次に、上記底部ｃを図８に示す通り内面側が上を向くように置いて、その４隅の上側へ４本の縦桟３を立て、奥行桟２へ図５に示す通り縦方向にあけられている孔１８と孔１９へボルト５を通して、縦桟３に形成されるねじ下孔２０へ締め込めば、奥行桟２と縦桟３はボルト５で接合されて、図8に示す通りのガラスケースＡの胴部ｄが形成される。
【００２４】
このように底部ｃの上に胴部ｄが形成されたら、縦桟３の奥行方向に対応する部分と、奥行桟２の上下方向に対応する部分とに、側板を嵌合するため図３及び図４に示す通り形成される嵌合溝２８と嵌合溝１５とへ、図8に鎖線で示す通りにガラスの側板３５を嵌合し、また、後側の縦桟３の間口方向に対応する部分には背板を嵌合するため図４に示す通り形成された嵌合溝２１には、ガラスの背板３６を図８に示す通り嵌合し、更に、間口桟１の内側に付設されている支持片１４には、ガラスの底板３７を支持させ、棚受支持材２５に取り付けた棚受２９には、図８に鎖線で示す通りにガラスの棚板３８を支持させる。
【００２５】
次に、底部ｃに接合されて胴部ｄを形成した各縦桟３の上には天部ｂを乗せる。この際、図１に示されるガラスの開閉扉３９を底部ｃと天部ｂの間に設置するが、この設置は周知の手段によるので説明は省略する。上記の通り縦桟３に天部ｂの４隅が支持されたら、天部ｂの間口桟３に図５に示す通り縦方向にあけられる孔１９と孔１８にボルト５を通し、縦桟３に形成されるねじ下孔２０へ締め込めば、奥行桟２と縦桟３はボルト５で接合されて、胴部ｄに天部ｂがボルト結合されたガラスケースＡとなる。そこで、天部ｂの間口桟２が内側に付設されている支持片１１にガラスの天板４０を乗せ、各奥行桟２の小口３１が前方及び後方へ開口しているので、これら小口３１に図１０に示す通り形成される化粧小口蓋３２を当てて、この化粧小口蓋３０にあけた孔３３にボルト３４を通し、小口３１に形成されるねじ下孔１２へ締め込めば、化粧小口蓋３２で小口３１が化粧された図１に示す通りのガラスケースＡが完成する。
【００２６】
図１１〜図１５は、本発明の請求項２に係るガラスケースの接合構造の実施形態を示すもので、各図において符号Ｂ−１〜Ｂ−５は、ガラスケースＡの複数を接合して形成した５種類の接合ガラスケースを示す。これら接合ガラスケースＢ１〜Ｂ５は、所定の長さに切断された間口桟１と奥行桟２と縦桟３とを、奥行桟２へ横方向に通したボルト４（図５参照）で間口桟1へ接合し、縦方向に通したボルト５（図５参照）で縦桟３へ接合することで形成されて奥行桟２の小口３１が前後の方向へ開口するガラスケースＡの複数を、横方向に並べるか、縦方向に重ねるかした際、各ガラスケースＡの数と配列によって、形状と面積が異なる上記小口の集合体４１−1〜４１−５が生ずる。そこで、これら小口の集合体４１−1〜４１−５に各々の外形に適合する化粧小口蓋４２−1〜４２−５を、対応する複数の奥行桟２に形成される各ねじ下孔１２へボルト４３の締め付けで取り付け、複数のガラスケースＡが接合された接合ガラスケースＢ−１〜Ｂ−５を形成することを特徴としている。
【００２７】
以下に上記接合ガラスケースの接合構造の実施形態の５例に付いて説明する。
【００２８】
図１１は、縦２連形の接合ガラスケースＢ−１を示すものであって、２個のガラスケースＡが上下に重なるため、上側のガラスケースＡの底部ｃの奥行桟２の小口３１と、下側のガラスケースＡの天部ｂの奥行桟２の小口３１が、上下に連なって図１１（ｂ）に示す通りの縦長矩形の小口の集合体４１−１を２箇所に生ずる。そこで、これら小口の集合体４１ａの形状に合わせて、図１１（ｃ）に示す通りの縦長矩形の化粧小口蓋４１−１を２個形成し、これら小口化粧蓋４１−１に隣り合う奥行桟２に形成されたねじ下孔１２に対応するボルト４３の通し孔４４を２個あけて、これら通し孔４４にそれぞれボルト４３を通し、上記ねじ下孔１２へ締め込めば、縦２連のガラスケースＡが左右２個の化粧小口蓋４２−１で接合された接合ガラスケースＢ−１が形成される。
【００２９】
図１２は、横２連の接合ガラスケースＢ−２を示すものであって、２個のガラスケースＡを左右に並べるため、左側のガラスケースＡにおける右側の奥行桟２の小口３１と、右側のガラスケースＡにおける左側の奥行桟２の小口３１が、左右に連なって図１２（ｂ）に示す通りの横長矩形の小口の集合体４１−２を２箇所に生ずる。そこで、これら小口の集合体４１−２の形状に合わせて、図１２（ｃ）に示す通りの横長矩形の化粧小口蓋４２−２を２個形成し、これら小口化粧蓋４２−２に隣り合う奥行桟２に形成されたねじ下孔１２に対応するボルト４３の通し孔４４を２個あけて、これら通し孔４４にそれぞれボルト４３を通し、上記ねじ下孔１２へ締め込めば、横２連のガラスケースＡが上下２個の化粧小口蓋４２−２で接合された接合ガラスケースＢ−２が形成される。
【００３０】
図１３は、３個のガラスケースＡが逆Ｌ形に接合された接合ガラスケースＢ−３を示すものであって、上下に重ねた２個のガラスケースＡの下側のものの左側に、１個のガラスケースＡを並べたものである。このため、３つの奥行桟２の小口３１が上下と左右に連なって逆Ｌ形をなす小口の集合体４１−３と、２つの奥行桟２の小口３１が上下に連なって縦長矩形をなす小口集合体４１−１と、２つの奥行桟２の小口３１が左右に連なって横長矩形をなす小口集合体４１−２の３つが生ずる。そこで、逆Ｌ形をなす小口の集合体４１−３には、その形状に合わせた図１３（ｃ）に示す通りの逆Ｌ形の化粧小口蓋４２−３を作成して、この化粧小口蓋４２−３に隣り合う３つの奥行桟２に形成されるねじ下孔１２に対応する３個のボルト４３の通し孔４４をあけて、これら通し孔４４に通したボルト４３を上記ねじ下孔１２へ締め込んで小口の集合体４１−３に取り付け、他の２つの小口の集合体４１−１と４１−２には、図１１及び図１２に示すと同様の化粧小口蓋４２−３と４２−１、４２−２をボルト４３で取り付けることで、逆Ｌ形に接合された３個のガラスケースＡの３個所を化粧小口蓋４２−１、４２−２、４２−３で接合した接合ガラスケースＢ−３が形成される。
【００３１】
図１４は、４個のガラスケースＡが方形に接合された接合ガラスケースＢ−４を示すものであって、上下に重ねた２個のガラスケースＡを左右に２組並べて方形としたものである。このため、４つの奥行桟２の小口３１が上下と左右に連なって方形をなす小口の集合体４２−４と、２つの奥行桟２の小口３１が上下に連なって縦長矩形をなす２つの小口の集合体４２−１と、２つの奥行桟２の小口３１が左右に連なって横長矩形をなす２つの小口の集合体４２−２の合計５つの小口の集合体を生ずる。そこで、図１４（ｂ）に示す通り方形をなす小口の集合体４１−４には、その形状に合わせた図１４（ｃ）に示す通りの方形の化粧小口蓋４２−４を作成して、この化粧小口蓋４２−４に隣り合う４つの奥行桟２に形成されるねじ下孔１２に対応する４個のボルト４３の通し孔４４をあけ、これら通し孔４４に通したボルト４３を上記ねじ下孔１２へ締め込んで小口の集合体３８ｄへ化粧小口蓋３９ｄを取り付け、他の４つの小口の集合体４１−１〜４１−２には、図１１及び図１２に示すと同様に化粧小口蓋４２−１と４２−２をボルト４３で取り付ければ、方形に接合された４個のガラスケースＡを５個の化粧小口蓋で接合した接合ガラスケースＢ−４が形成される。
【００３２】
図１５は、６個のガラスケースＡが階段形に接合された接合ガラスケースＢ−５を示すものであって、上下に３個を重ねたガラスケースＡと、上下に２個を重ねたガラスケースＡと、１個のガラスケースＡとを左右に並べて階段形としたものである。この階段形の接合ガラスケースＢ−５は、４つの奥行桟２の小口３１が上下と左右に連なって方形をなす小口の集合体４１−４と、３つの奥行桟２の小口３１が上下と左右に連なって逆Ｌ形をなす２個の小口の集合体４１−３と、２つの奥行桟２の小口３１が上下に連なって縦長矩形をなす２つの小口の集合体４１−１と、２つの奥行桟２の小口３１が左右に連なって横長矩形をなす２つの小口集合体４１−２の合計７つの小口の集合体を生ずる。そこで、上記７つの小口の集合体には、図１１〜図１４と同様に、それぞれの形状に合わせた化粧小口
蓋４２−１、４２−２、４２−３、４２−４を形成して、小口の集合体４１−１、４１−２、４１−３、４１−４へボルト４３で取り付ければ、６個のガラスケースＡを７個の化粧小口蓋で接合した接合ガラスケースＢ−５を形成することができる。
【産業上の利用可能性】
【００３３】
本発明は、所定の長さに切断した横桟や縦桟をボルト結合するだけで、各桟が一体化されてがたつきや軋みを生じないガラスケースと、このガラスケースの複数を接合した接合ガラスケースの市場提供を可能とする。
【符号の説明】
【００３４】
Ａ    ガラスケース
１    間口桟
２    奥行桟
３    縦桟
４    ボルト
５    ボルト
６    ねじ下孔
７    化粧カバー
８と１３    凹部
１０と１４    受溝
１６と１７    横方向のボルトの通し孔
１８と１９    縦方向のボルトの通し孔
２０    ねじ下孔
【図１】
2010178962.tif 000003
【図２】
2010178962.tif 000004
【図３】
2010178962.tif 000005
【図４】
2010178962.tif 000006
【図５】
2010178962.tif 000007
【図６】
2010178962.tif 000008
【図７】
2010178962.tif 000009
【図８】
2010178962.tif 000010
【図９】
2010178962.tif 000011
【図１０】
2010178962.tif 000012
【図１１】
2010178962.tif 000013
【図１２】
2010178962.tif 000014
【図１３】
2010178962.tif 000015
【図１４】
2010178962.tif 000016
【図１５】
2010178962.tif 000017